(57)【特許請求の範囲】
【請求項１】
被検眼を照明する光源と、
被検眼で反射された照明光の反射光を受光する測定用受光素子と、
前記測定用受光素子からの信号により屈折力測定値を演算する演算回路と、
被検眼を撮像する撮像機器と、
ビデオ信号として取り込まれる前記撮像機器で撮像した観察像と前記眼屈折力測定値とを合成する画像処理部と、
前記合成された観察像と前記眼屈折力測定値とを表示する表示器を有する眼屈折力測定装置において、
前記表示器に、被検眼に対するアライメント中であることを示すキャラクターを表示するためのキャラクター制御部を有することを特徴とする眼屈折力測定装置。
【請求項２】
前記キャラクター制御部は、前記表示器に、被検眼に対する眼屈折力測定中であることを示すキャラクターを表示させることを特徴とする眼屈折力測定装置。
【請求項３】
前記眼屈折力測定装置において、
被検眼の調節作用を除去するための雲霧動作に用いる、被検眼の焦点方向に移動可能な固視標とを有し、
前記キャラクター制御部は、前記雲霧動作中を表すキャラクターを表示させることを特徴とする請求項１又は２に記載の眼屈折力測定装置。
【発明の詳細な説明】
【０００１】
【発明の属する技術分野】
本発明は、眼屈折力測定装置等の眼科装置に関するものである。
【０００２】
【従来の技術】
眼科装置として、例えば眼屈折力等を測定するオートレフラクトメータが知られている。オートレフラクトメータを用いて被検眼の屈折力等を測定する際には、先ずテレビモニタにより装置本体と被検眼との位置合わせ（アライメント調整）を行う必要がある。
【０００３】
このためにテレビモニタ上に丸形や四角形等の形をした基準マークを設け、この基準マーク内にアライメント輝点を入れるという操作が一般に行われる。つまり、検者は、テレビモニタに表示される被検眼の前眼部像と前眼部から反射されたアライメント輝点とを観察しながらジョイスティック等を操作し、基準マーク内にアライメント輝点が入るように位置調整を行う。そして、基準マーク内にアライメント輝点が入ると、検者は、測定ボタンを押すなどして被検眼の測定を開始する。
【０００４】
通常、オートレフラクトメータには、被検眼の調節を解除する目的で被検眼を固視させるための固視標が被検眼のピント方向に移動可能に設けられている。この固視標を被検眼のピント方向に移動することを「雲霧をかける」あるいは「雲霧動作」と呼んでいる。雲霧動作が終了し、被検眼の調節が除去された後、屈折力の測定を行う。また、屈折力の測定は測定精度を高める目的で数回続けて行うのが一般的である。
【０００５】
【発明が解決しようとする課題】
しかしながら、従来のこの種の装置においては、アライメント調整中や雲霧動作中や屈折力測定中は、テレビモニタ上には現在、装置が何の動作を行っているか表示がされなかった。このため、検者は装置が何の動作を行っているのか把握するのが困難であった。例えば、測定中であるにもかかわらず測定が正常に行われれていないと勘違いし、装置本体を被検眼に対して動かしてしまったりするという恐れがあった。その結果、アライメントが良くない状態で測定されてしまい、測定精度が落ちてしまう原因となっていた。
【０００６】
本発明は、装置が現在何の動作を行っているのかを検者に明確に知らせ、検者が誤った判断をするのを防止し、精度の高い測定値が得られる眼科装置を提供することを目的とする。
【０００７】
上記課題を解決するために、本発明は次のような構成を有することを特徴とする。
請求項１に記載の発明は、「被検眼を照明する光源と、被検眼で反射された照明光の反射光を受光する測定用受光素子と、前記測定用受光素子からの信号により屈折力測定値を演算する演算回路と、被検眼を撮像する撮像機器と、ビデオ信号として取り込まれる前記撮像機器で撮像した観察像と前記眼屈折力測定値とを合成する画像処理部と、前記合成された観察像と前記眼屈折力測定値とを表示する表示器を有する眼屈折力測定装置において、前記表示器に、被検眼に対するアライメント中であることを示すキャラクターを表示するためのキャラクター制御部を有することを特徴とする眼科装置」である。
請求項２に記載の発明は、「前記キャラクター制御部は、前記表示器に、被検眼に対する眼屈折力測定中であることを示すキャラクターを表示させることを特徴とする眼屈折力測定装置」である。
【０００８】
請求項３に記載の発明は、「前記眼屈折力測定装置において、
被検眼の調節作用を除去するための雲霧動作に用いる、被検眼の焦点方向に移動可能な固視標とを有し、
前記キャラクター制御部は、前記雲霧動作中を表すキャラクターを表示させることを特徴とする請求項１又は２に記載の眼屈折力測定装置」である。
【０００９】
【発明の実施の形態】
本発明を図１から図３に示す実施形態に基づいて詳細に説明する。
図１は、本実施形態にかかる眼科装置の全体構成を示す図である。具体的には、オートレフラクトメータの光学系１、ＣＣＤカメラ２、制御演算回路３、ミキシング回路４、テレビモニタ５及びキャラクター制御回路６から構成されていることを示している。
【００１０】
図１において、被検眼Ｅを照明するための赤外光源１１はチョッパー１２を通過し、スリット状の照明光束となり、第一の光路分割部材１３により被検眼Ｅの方向に反射され、第二の光路分割部材１４を通過し、被検眼Ｅに投影される。なお、第一の光路分割部材１３、第二の光路分割部材１４はハーフミラーである。
被検眼Ｅの眼底からの反射光は第二の光路分割部材１４、第一の光路分割部材１３、絞り１５を通過し、測定用受光素子１６に導かれる。測定用受光素子１６からの信号は制御演算回路３に入力されて被検眼１の屈折力測定値に演算される。
この測定値は、ミキシング回路４に入力される。
【００１１】
一方、被検眼Ｅの観察像は第二の光路分割部材１４により反射され、第三の光路分割部材１７、結像レンズ１８を通過し、ＣＣＤカメラ２に結像される。ＣＣＤカメラ２に結像された被検眼Ｅの観察像は、ビデオ信号としてミキシング回路４に入力される。
アライメント検出は、上記の照明光が被検眼Ｅの角膜頂点で反射され、角膜と共役な位置に置かれている測定用受光素子１６上にアライメント輝点として結像することを利用して行われる。後に説明するように、このアライメント輝点が所定範囲に入ったことが認められるとアライメント検出は終了する。
また、被検眼Ｅは、可視光源１９から発せられ、固視標２０、レンズ２１を通過し、第三の光路分割部材１７、第二の光路分割部材１４で反射された固視光によって投影される。なお、第三の光路分割部材１７は、可視光を反射すると共に赤外光を透過するダイクロイックミラーである。固視標２０は、被検眼Ｅの焦点方向に移動可能に配置されており、被検眼Ｅの調節作用を除去するために、雲霧動作を行うことが可能である。
【００１２】
アライメント中の場合は、測定用受光素子１６から制御演算回路３に入力される信号によって検知できる。この信号は、さらに制御演算回路３からキャラクター制御回路６に入力され、キャラクター制御回路６は、アライメント中を表すキャラクターをテレビモニタ５上に表示する。マニュアルでアライメントしているときには、検者は、当然に自分の行為を認識しているので、アライメント中を表すキャラクターを必ずしも表示しなくてもよいが、自動でアライメント調整をしているときには、キャラクター表示することによって現在行われている動作を把握できる。
【００１３】
雲霧動作中の場合は、固視標２０を焦点方向に動作させる駆動装置（不図示）から制御演算回路３に信号が入力され、この信号は、さらに制御演算回路３からキャラクター制御回路６に入力され、キャラクター制御回路６は、雲霧動作中を表すキャラクターをテレビモニタ５上に表示する。
屈折力測定中は、アライメント中の場合と同様に、測定用受光素子１６から制御演算回路３に入力される信号によって検知できる。この信号は、さらに制御演算回路３からキャラクター制御回路６に入力され、キャラクター制御回路６は、屈折力測定中を表すキャラクターをテレビモニタ５上に表示する。
なお、アライメント中、雲霧動作中、屈折力測定中に発せられる信号は、制御演算回路３を介さずに直接にキャラクター制御回路６に入力されるように構成してもよい。
【００１４】
図２は、アライメント中を表示するテレビモニタ画面である。テレビモニタ５のモニタ画面２１には、被検眼Ｅの前眼部像２２が映し出され、中央に基準マーク２３，アライメント輝点２４が表示されている。
この前眼部像２２はＣＣＤカメラ２に結像され、ミキシング回路４に入力されたものである。検者は、装置本体を被検眼Ｅにアライメントする際、テレビモニタ５に映し出された前眼部像２２を見ながら、基準マーク２３にアライメント輝点２４が入るようにジョイスティック等の操作を行う。この間は、前眼部像２２の上方にアライメント中を表すキャラクター２５が表示されている。自動アライメントの場合も同様である。また、前眼部像２２の下方には、測定値表示エリア２６が映し出される。
図３は、雲霧動作中を表示するテレビモニタ画面である。アライメント輝点２４が基準マーク２３内に入ると装置本体はアライメントが適正と判断し、まず、被検眼１の調節を除去する目的で雲霧動作を一定時間行う。装置本体が雲霧を行っている最中は、この動作を表すキャラクター２７がモニタ画面２１において前眼部像２２の上方に表示される。検者はこれを見て、装置本体が被検眼Ｅに対して雲霧を行っていることを把握できる。被検眼Ｅに対する雲霧が終了すると、装置本体は測定を開始する。
図４は、測定中を表示するテレビモニタ画面である。屈折力測定中は、この動作を表すキャラクター２８がモニタ画面２１において前眼部像２２の上方に表示される。検者はこれを見て、装置本体が被検眼Ｅに対して測定を行っていることを把握できる。
図５は、屈折力測定終了時を表示するテレビモニタ画面である。テレビモニタ５のモニタ画面２１には、被検眼Ｅの前眼部像２２が映し出され、中央に基準マーク２３，アライメント輝点２４が表示されている。被検眼Ｅに対する測定が終了すると、キャラクターは消え、基準マーク２３が点滅し、測定値表示エリア２６には被検眼Ｅの測定値、たとえば球面度数Ｓ、乱視度数Ｃ、乱視軸Ａの値が表示される。検者は、キャラクターが消えていること、基準マーク２３が点滅していること、あるいは測定値表示エリア２６に測定値が表示されていることのうち、少なくとも１つを認識すれば測定が終了したことを把握する。勿論、キャラクターを消さずに、測定終了を表すキャラクターを表示するようにしてもよい。
本実施形態では、テレビモニタ上にキャラクターを表示する例を掲げたが、検者に対し装置本体が何の動作をしているかを知らせることが可能ならば、音声、振動でもよいし、これらをキャラクター表示と併用してもよい。
【００１５】
【発明の効果】
以上説明したように本発明に係わる眼科装置によれば、眼科装置本体が現在何の動作を行っているかを容易にかつ確実に検者に伝えることが可能であり、検者が雲霧中や測定中に装置を動かしてしまうなどの誤操作を防止でき、測定精度が悪化するのを防ぐことができる。
【図面の簡単な説明】
【図１】本発明の実施形態にかかる眼科装置の全体構成を示す図である。
【図２】本発明の実施形態にかかるアライメント中を表示するテレビモニタ画面である。
【図３】本発明の実施形態にかかる雲霧動作中を表示するテレビモニタ画面である。
【図４】本発明の実施形態にかかる測定動作中を表示するテレビモニタ画面である。
【図５】本発明の実施形態にかかる測定終了時を表示するテレビモニタ画面である。
【符号の説明】
Ｅ    被検眼
１ オートレフラクトメータの光学系
２ ＣＣＤカメラ
３    制御演算回路
４    ミキシング回路
５    テレビモニタ
６    キャラクター制御回路
７、２７、２８    キャラクター
【図１】
0003945009.tif 000002
【図２】
0003945009.tif 000003
【図３】
0003945009.tif 000004
【図４】
0003945009.tif 000005
【図５】
0003945009.tif 000006